(57)【要約】【課題】  ホースや電線を巻き取って収納する装置において、中心軸が配管構造となっているホース・リールや、中心軸が電線との通電手段を具備するコード・リールが一般的であるが、市販されているホースや電線を巻き取り収納器にそのまま取りつけ可能とし、ホースや電線の巻き取りと取り出しを簡単な操作で行え、全体の構造が簡単で且つ利便性に富んだ低コストの回転巻き取り収納器を提供しようとするものである。【解決手段】  外枠本体（１）に固着された横板（１５）に片持ち支持された中心軸（２）と、その中心軸（２）を回転可能に取り付けられた主巻き取り部（ａ）と副巻き取り部（ｂ）を有する巻き取り本体（３）と、巻き取り本体（３）を回転操作させるための回転手段とで構成され、一連のホースや電線を主巻き取り部（ａ）から副巻き取り部（ｂ）に側に渡し、副巻き取り部（ａ）に巻き付けた後、主巻き取り部（ａ）側に巻き取って収納することを特徴として有している。【選択図】  図１
2005060098.tif 000002
【特許請求の範囲】
【請求項１】
外枠本体（１）と、外枠本体（１）に取り付けられた横板（１５）と、
横板（１５）に片持ち支持されて固着された中心軸（２）と、中心軸（２）に回転可能に取り付けられた主巻き取り部（ａ）と副巻き取り部（ｂ）を有する巻き取り本体（３）と、
巻き取り本体（３）を回転させるための回転手段と、からなり、
主巻き取り部（ａ）と副巻き取り部（ｂ）とに、ホース又は電線を連続して巻き取り可能なことを特徴とする回転巻き取り収納器。
【請求項２】
外枠本体（１）は、四角形状に形成された二組の外枠（１１，１２）と、外枠（１１）に固着された横板（１５）と、横板（１５）に片持ち支持されて固着された中心軸（２）と、”コ”の字状に形成された複数の横枠（１３）と、“コ”の字状に形成された二つの取っ手枠（１４）と、からなり、
外枠（１１）と外枠（１２）が平行となるように、横枠（１３）の両端部の直線部がそれぞれ枠（１１）と枠（１２）底部に位置して固着され、
外枠（１１）と外枠（１２）の上辺部のそれぞれに取手枠（１４）の両端部が固着され、その二つの取手枠（１４）の”コ”の字状に形成された中央の直線部が互いに固着されて、取手部（ｘ）が形成されていることを特徴とする請求項１に記載の回転巻き取り収納器。
【請求項３】
巻き取り本体（３）は、中心軸（２）に横板（１５）側の方に位置して回転可能に取り付けられた回転板（３１）と円形フレーム（３５）が同心となるよう複数の円形フレーム支え（３６）に支えられて形成される横押さえ部（ｃ）と、
中心軸（２）に横板（１５）の反対側の端部に位置して回転可能に取り付けられた回転板（３２）と前記回転板（３１）が同一円周上に偶数となる複数の穴を有していて、その穴の一対毎に”Ｕ”字状に形成された複数の回転フレーム（３３）の両直線の端部が回転板（３１）側に位置し、回転板（３２）側に”Ｕ”字状の底部側が位置して、回転板（３１）と回転板（３２）との間に回転フレームカラー（３４）を挟んで回転フレーム（３３）の直線部が組み込まれ、回転板（３１）にそれぞれの回転フレーム（３３）の両直線の端部が固着され、回転フレーム（３３）の”Ｕ”字状の底部を中心軸（２）の中心方向に垂直となる外側方向に折り曲げられて形成される横押さえ部（ｄ）と、
回転フレーム（３３）の直線部に組み込まれた複数の回転フレームカラー（３４）と、から形成される環状の空間に主巻き取り部（ａ）が形成され、
”Ｕ”字状に曲げられて形成される複数の副巻き取りフレーム（３７）の直線部の両端部が、回転板（３２）の外周部の同一円周上に固着され、さらに”Ｕ”字状の底部が中心軸の中心方向に垂直となる外側に折り曲げられて、その底部と回転板（３２）の外周部との環状の空間に副巻き取り部（ｂ）が形成され、
前記の主巻き取り部（ａ）と副巻き取り部（ｂ）とを有することを特徴とする請求項１に記載の回転巻き取り収納器。
【請求項４】
前述の主巻き取り部（ａ）において、横押さえ部（ｃ）は回転板（３１）と一体となる形状の、円盤状の回転板（４１）で形成されることを特徴とする請求項３に記載の回転巻き取り収納器。
【請求項５】
巻き取り本体（３）は、横板（１５）側に位置して中心軸（２）に回転可能に取り付けられる回転板（４２）と、横板（１５）の反対側に位置して中心軸（２）の端部に回転可能に取り付けられる回転板（４３）とが、それぞれ同一円周上に有する偶数となる複数の穴に、”Ｕ”字状に形成さた複数の回転フレーム（３３）の両直線部の端部が回転板（４２）側に位置し、そして回転板（４３）側に回転フレーム（３３）の”Ｕ”字状の底部側が位置して、回転板（４２）と回転板（４３）との間に回転フレームカラー（３４）を挟んで回転フレーム（３３）の直線部がはめ込まれ、回転板（４２）に回転フレーム（３３）の両直線部の端部が固着され、回転フレーム（３３）の直線部の中央部に回転板（４３）が固着され、回転板（４２）と、その回転板（４２）と回転板（４３）との間の回転フレーム（３３）の直線部と、回転板（４３）との環状の空間に主巻き取り部（ａ）が形成され、
回転フレーム（３３）の”Ｕ”字状の底部を中心軸（２）の中心方向に垂直の外側方向に折り曲げられ、回転板（４３）と回転フレームの（３３）の”Ｕ”字状の底部との空間に副巻き取り部（ｂ）が形成され、
前記の主巻き取り部（ａ）と副巻き取り部（ｂ）とを有することを特徴とする請求項１に記載の回転巻き取り収納器。
【請求項６】
外枠本体（１）の外枠（１１）に、取付板（７１）が取付可能となっていて、取付板（７１）には片側がホースの接続継手との着脱手段を具備し、他方の片側は副巻き取り部（ｂ）に巻き付けられるホースの先端部の接続継手との着脱手段を具備したシングル・ホース用流体接続継手が取り付けられていることを特徴とする請求項１に記載の回転巻き取り収納器。
【請求項７】
外枠本体（１）の外枠（１１）に、取付板（７２）が取付可能となっていて、取付板（７２）にはツイン・ホースの接続継手との着脱手段を具備し、他方の片側は副巻き取り部（ｂ）に巻き付けられるツイン・ホースの先端部の接続継手との着脱手段を具備した二組の流体接続継手が取り付けられていることを特徴とする請求項１に記載の回転巻き取り収納器。
【請求項８】
外枠本体（１）の外枠（１１）に、取付板（７３）が取付可能となっていて、取付板（７３）には副巻き取り部（ｂ）に巻き付けられる電線の先端部との接続と切り離し手段を具備し、その電線と通電状態の複数のソケット部（ｕ１，ｕ２，ｕ３）を有するコンセント（ｕ）が取り付けられていることを特徴とする請求項１に記載の回転巻き取り収納器。
【発明の詳細な説明】
【発明の詳細な説明】
【産業上の分野】
【０００１】  本発明はホースや電線を手動で巻き取って収納する装置に関するものである。
【背景技術】
【０００２】  従来の手動操作によってホースを巻き取って収納する装置において、ホースの巻き取り部が回転するための中心軸は、中心軸への流体の供給部そしてその中心軸からの流体の取り出し部を有する配管構造となっていて、前述の取り出し部に巻き取るホースの先端を接続させ、ホースの巻き取り部を回転させてホースを巻き取るものが一般的であり、また電線を巻き取って収納する装置においては、電線の巻き取り部が回転するための中心軸と、巻き取り部との間に複雑な通電手段を有して配線され電線の巻き取りが可能となっている。
【発明が解決しようとする課題】
【０００３】  前記従来のホース用巻き取り収納器において、配管構造となっている中心軸は、その中心軸を回転させても流体を供給可能なシール構造を有し、巻き取られる側のホースの先端部は中心軸から流体を取り出すための接続手段を有しているが、特にガス切断・溶接などに用いられるツイン・ホースを巻き取るための装置においては、中心軸に可燃性ガスおよび支援性ガスの両方を配管するための構造を有していいて、シール構造部のパッキンの磨耗や、シール構造部の破損となどによって流体が漏れて事故につながることががある。また電線用の巻き取り収納器においては、巻き取り部が回転する中心軸と、巻き取り部との間に複雑な通電構造を有している。
また、あらかじめ接続継手が取り付けられているホースや、コネクターがあらかじめ取り付けられている電線など市販されているものを巻き取り収納器に取り付けて使用する場合、ホースの場合は専用の接続継手を取り付ける必要があり、電線の場合は先端を巻き取り装置に取り付けるための専用の配線加工をしをしなければならない。
さらに、持ち運びが楽なように軽量化と、低コスト化を図るためため少ない部材においても衝撃に対して外枠が変形しにくい構造のものが求められている。
【０００４】  本発明は、上述した従来の問題点をなくすために、あらかじめ接続継手が取り付けられているホースやコネクターが取り付けられている電線を巻き取り収納器に取り付けるとき、専用部品を取り付けたり配線の加工など必要としないで、そのままの状態で巻き取って収納することが可能で、特にガス切断・溶接用のツイン・ホースに使用することが有効な、可燃性ガスの漏れの心配のないホース巻き取り収納器を提供するとともに、同じ外枠の構造であっても電線をも巻き取って収納な汎用性を有し、外枠を形成する部材は少ないが衝撃に対し変形しにくい枠構造を有する低コストの回転巻き取り収納器を提供しようとするものである。
【課題を解決するための手段】
【０００５】  外枠本体（１）に取り付けられた横板（１５）に片持ち支持され固着された中心軸（２）と、その中心軸（２）を回転可能に取り付けられた主巻き取り部（ａ）と副巻き取り部（ｂ）とを有する巻き取り本体（３）と、巻き取り本体（３）を回転させるための回転手段とで構成され、巻き取るホース又は電線を主巻き取り部（ａ）側から副巻き取り部（ｂ）側に渡し、副巻き取り部（ｂ）側のホースまたは電線を副巻き取り部（ｂ）に巻き付けた後、主巻き取り部（ａ）側のホースまたは電線を巻き取り本体（３）の回転操作によって、巻き取ることを特徴として有している。
【０００６】  外枠本体（１）は、四角形状に曲げられて形成された二組の外枠（１１，１２）と、外枠（１１）に固着された横板（１５）と、”コ”の字状に形成された複数の横枠（１３）と、”コ”の字状に形成された二つの取手枠（１４）で構成され、二組の外枠（１１，１２）が平行となるように、横枠（１３）の両端部の直線部がそれぞれ枠（１１）と枠（１２）に複数固着され、二組の枠（１１，１２）のそれぞれの上辺部の一辺に、“コ”の字状に形成された取手枠（１４）の両端部が固着され、その取手枠（１４）の”コ”の字状に曲げられた中央の直線部の外周部が互いに接して固着されて取手部（ｘ）が形成される外枠の構造を特徴として有している。
【０００７】  外枠本体（１）の外枠（１１）に、流体接続継手を取り付けられる取付板（７１，７２）が取付可能となっていて、巻き取って収納するホースに応じて、その流体接続継手の片側は、流体供給側のホースとの接続と切り離しが可能となっていているとともに、他方の片側は副巻き取り部（ｂ）に巻き付けられるホースの先端部との接続と切り離しが可能となっていることを特徴として有している。
【０００８】  外枠本体（１）の外枠（１１）に、複数のソケット部（ｕ１，ｕ２，ｕ３）を有するコンセント（ｕ）が取り付けられる取付板（７３）が取付可能となっていて、そのコンセント（ｕ）に副巻き取り部（ｂ）に巻き付けられる電線の先端部のプラグ又はソケットとの接続と切り離し手段を具備していることを特徴として有している。
【発明の実施形態】
【０００９】つぎに本発明の実施形態を図面に基づき説明する。
【００１０】  図１に示す外枠本体（１）は、金属製のパイプを四角形状に曲げて形成された二組の外枠（１１，１２）と、外枠（１１）に固着された金属性の帯板で形成された横板（１５）と、金属製のパイプを”コ”の字状に曲げて形成された複数の横枠（１３）とで構成され、前述の二組の外枠（１１，１２）が平行となるように、横枠（１３）の両端部の直線部がそれぞれ枠（１１，１２）の底側の角部にボルトとナットによって固定されている。
【００１１】  また、二組の枠（１１，１２）の上側の角部にも横板（１３）が取りつけられボルトとナットによって固定されてもよい。（図示略）
【００１２】  前述の外枠（１１）に横板（１５）が固着され、その横板（１５）に中心軸（２）が垂直となるよう片持ち支持されて固着されている。
【００１３】  外枠本体（１）の二組の枠（１１，１２）のそれぞれの上辺部の一辺に、金属製のパイプが”コ”の字状に形成された取手枠（１４）の両端部が固着され、その取手枠（１４）の”コ”の字状に曲げられた中央の直線部を接合し、ボルトによって固定されて、外枠（１）の枠の一部を構成する取手部（ｘ）が形成されている。
【００１４】  円盤状の形状を有する回転板（３１）と回転板（３２）は、それぞれの中心部分に穴が形成され、中心軸（２）を回転可能な円筒状の中心軸カラー（２１）の両端の外周部に、填め合いされ固定されている。
【００１５】  中心軸（２）には、横板（１５）側に位置して円筒状の中心軸カラー（２２）が回転可能に填め込まれ、そして中心軸カラー（２１）に前述の回転板（３１，３２）が組み込まれた状態で、横板（１５）側に回転板（３１）が位置するように中心軸（２）に組み込まれ、回転板（３２）側の中心軸（２）の端部に有するネジ穴に、座金を介して蝶ネジが填め込まれている。
【００１６】  回転板（３１）と回転板（３２）との同一円周上に、偶数となる複数の穴が設けられていて、それらの穴の一対毎に”Ｕ”の字状に形成された複数の回転フレーム（３３）が、その両直線部の端部が回転板（３１）側に、そして回転板（３２）側に”Ｕ“の字状の底部側が位置するように、回転板（３１）と回転板（３２）との間に円筒状の回転フレームカラー（３４）を挟んで回転フレーム（３３）の直線部が填め込まれて、回転フレーム（３３）の両直線の端部に形成されているネジ部がナットによって回転板（３１）に固定されている。
【００１７】  前述の回転フレーム（３３）は”Ｕ”字状の底部を中心軸方向に垂直の外側方向に折り曲げられていて、その曲げられた”Ｕ”の字状の底部に横押さえ部（ｄ）が形成される。
【００１８】  また、回転板（３１）の外周部と円形フレーム（３５）とが、複数の円形フレーム支え（３６）によって、回転板（３１）と円形フレーム（３５）が同心となるよう固着され、回転板（３１）の外周部から外側方向の円形フレーム支え（３６）の部分に横押さえ部（ｃ）が形成される。
【００１９】  前述の横押さえ部（ｃ）と回転フレーム（３３）の直線部に填め込まれた回転フレームカラー（３４）と横押さえ部（ｄ）との環状の空間に主巻き取り部（ａ）が形成される。
【００２０】  副巻き取り部（ｂ）は、複数の棒材のそれぞれを”Ｕ”字状に曲げられて形成される副巻き取りフレーム（３７）の、二つの直線部にネジ部を有する端部が、回転板（３２）に回転フレーム（３３）が組み込まれている穴の位置の円周より小さい円周上に有する偶数となる複数の穴に填め込まれて、ナットによって回転板（３２）に固着され、副巻き取りフレーム（３７）の“Ｕ”字状の底部が、中心軸の中心方向に垂直となる外側に折り曲げられた”Ｕ”の字状の底部と回転板（３２）の外周部との環状の空間に副巻き取り部（ｂ）が形成される。
【００２１】  図２に示すように、前述の図１に示した主巻き取り部（ａ）において、円形フレーム（３５）と回転板（３１）に固着され複数の円形フレーム支え（３６）によって形成される横押さえ部（ｃ）が、回転板（３１）がより大きい円盤状の回転板（４１）とする外周部分で形成されていてもよい。
【００２２】  また図３に示すように、前述の図１に示した主巻き取り部（ａ）と副巻き取り部（ｂ）において、回転板（３１）と円形フレーム（３３）とが複数の円形フレーム支え（３６）によって形成される横押さえ部（ｃ）において、回転板（３１）がより大きい円盤状の回転板（４２）で形成され、そして回転板（３２）が回転板（４２）と同型の回転板（４３）で形成されていてもよい。
【００２３】  回転板（４２）と回転板（４３）とが同一円周上に有する偶数となる複数の穴に、”Ｕ”字状に形成された複数の回転フレーム（３３）の両直線部の端部が回転板（４２）側に、そして回転板（４３）側に”Ｕ”字状の底部側に位置するよう回転フレームカラー（３４）を挟んではめ込まれ、回転板（４２）にその回転フレーム（３３）の両直線部の端部に形成されたネジ部がナットによって固着されている。
【００２４】  回転板（４３）は回転フレーム（３３）の”Ｕ”の字状の底部側に位置した直線部に固着され、回転板（４２）と回転フレームカラー（３４）と回転板（４３）との環状の空間に主巻き取り部（ａ）が形成される。
【００２５】  回転フレー厶（３３）の”Ｕ”の字状の底部を中心軸方向に垂直の外側方向に折り曲げられ、回転板（４３）と回転フレーム（３３）の”Ｕ”字状の底部が曲げられた部分との環状の空間に副巻き取り部（ｂ）が形成される。
【００２６】  前述の回転板（４３）には、回転フレーム（３３）が填め込まれている近傍にホース又は電線を通すための通し穴（ｙ）が形成されている。
【００２７】  図４、図５と図６に示すように、副巻き取り（ｂ）側に位置する外枠本体（１）の外枠（１１）の上部に位置して、巻き取って収納する用途に応じて取付板（７１，７２，７３）のいずれかがボルトとナットによって取付可能となっている。
【００２８】  次に実施形態の作用について説明する。
図１、図２と図３に示す本発明の巻き取り収納器に巻き取って収納されるホース又は電線の取り付けは、ホース又は電線の先端部を主巻き取り部（ａ）側から横押さえ部（ｄ）を通して、副巻き取り部（ｂ）側へ副巻き取り部（ｂ）に巻き取る長さの分だけ副巻き取り部（ｂ）側へ渡す。
【００２９】  副巻き取り部（ｂ）にホース又は電線を渡した後、主巻き取り部（ａ）側に位置する複数の回転フレーム（３３）のいずれかの直線部か副巻き取り部（ｂ）を形成する副巻き取りフレーム（３７）に、巻き付けるホース又は電線が滑らないようにゴム製のバンドなどによってくくりつけると便利である（図示略）。
【００３０】  主巻き取り部（ａ）から副巻き取り部（ｂ）へ渡すホース又は電線は図１と図２においては、横押さえ部（ｄ）を形成しているそれぞれの回転フレーム（３３）の空間を通し、副巻き取り部（ｂ）側へ渡し、図３においては回転板（４３）の横押さえ部分（ｄ）に形成されている通し穴（ｙ）を通して副巻き取り部（ｂ）側へ渡す。
【００３１】  副巻き取り部（ｂ）側へ渡されたホース又は電線を、巻き取り本体（３）を回転させることなく、ホース又は電線を手に持って副巻き取り部（ｂ）に巻き付ける。巻き付けた後、ゴム製のバンドなどによって、副巻き取り部（ｂ）からはずれないようにすると便利である（図示略）。
【００３２】  その後、副巻き取り部（ｂ）に取り付けられている巻き取り本体（３）を回転させるための握り玉（５）を回転操作することによって、主巻き取り部（ａ）にホース又は電線を巻き取ることが可能となる。
【００３３】  巻き取り本体（３）からホース又は電線を引き出して使用する場合は、副巻き取り部（ｂ）にホース又は電線が巻かれている状態のまま、主巻き取り部（ａ）からホース又は電線を所要の長さを引き出してから、副巻き取り部（ｂ）側のホース又は電線を取り出して使用すればよい。
【００３４】  さらに本発明の巻き取り収納器をホース又は配線の中継のために使用する場合は、図４、図５そして図６に示すとおり、外枠本体（１）の外枠（１１）に、用途に応じて取付板（７１，７２，７３）のいずれかを取付けて使用するとよい。
【００３５】  図４に示すようにシングル・ホースの場合は、ソケット継手（ｍ）の外ネジ部（ｉ）にナット（５１）を取り付けて、ソケット継手（ｍ）を取り付け板（７１）の取付穴に組み込んで、プラグ継手（ｎ）の内ネジ部（ｊ）とソケット継手（ｍ）の外ネジ部（ｉ）とで一体に組み込んでソケット継手（ｍ）に取り付けたナット（５１）とプラグ継手（ｎ）の端部とによって取付板（７１）に固定し、副巻き取り部（ｂ）に巻き付けられているシングル・ホース端部のプラグ継手（図示略）とソケット継手（ｍ）との接続と切り離しを可能としている。
【００３６】  前述のシングル・ホースを巻き取る場合やホースを引き出す場合には、副巻き取り部（ｂ）に巻き付けられているシングル・ホース端部のプラグ継手（図示略）とソケット継手（ｍ）を切り離してから行えばよい。
【００３７】  図５に示すように、ガス切断・溶接用ツイン・ホースの場合は、取付板（７２）に二つの取付穴を有し、前述のシングル・ホースのときと同様の方法で、片方の穴に酸素用プラグ継手（ｅ）と酸素用ソケット継手（ｇ）が、そして他方の穴に可燃性ガス用プラグ継手（ｆ）と可燃性ガス用ソケット（ｈ）が組み込まれ、副巻き取り部（ｂ）に巻き付けられるツイン・ホースの酸素用ホース端部のプラグ継手（図示略）並び可燃性ガス用プラグ継手（図示略）との接続と切り離しが可能となっている。
【００３８】  前述のツイン・ホースを巻き取る場合や引き出す場合には、副巻き取り部（ｂ）に巻き付けられているツイン・ホース端部のツイン・ホースの酸素用ホース端部のプラグ継手（図示略）および可燃性ガス用プラグ継手（図示略）との接続を切り離してから行えばよい。
【００３９】  さらに図６に示すように電線の場合は、取付板（７３）に副巻き取り部（ｂ）に巻き付けられている電線の端部のソケット部（図示略）と接続するプラグ部（ｖ）を有し、さらに複数のソケット部（ｕ１，ｕ２，ｕ３）を有するコンセント（ｕ）が取り付けられていて電線の分配が可能となっている。
【００４０】  前述の電線を巻き取ったり引き出す場合は、副巻き取り部（ｂ）に巻き付けられている電線の端部のソケット部（図示略）と接続するプラグ部（ｖ）を切り離した状態にて行えばよい。
【発明の効果】
【００４１】  外枠本体（１）の横板（１５）に片持ち支持され固着された中心軸（２）と、その中心軸（２）を回転可能に取り付けられた主巻き取り部（ａ）と副巻き取り部（ｂ）を有する巻き取り本体（３）と、巻き取り本体（３）を回転操作させるための回転手段とで構成され、一連のホース又は電線を主巻き収り部（ａ）側から副巻き取り部（ｂ）側に渡し、副巻き取り部（ｂ）に巻き付けた後、主巻き取り部（ａ）側のホース又は電線を巻き取り本体（３）の副巻き取り部（ｂ）に取り付けられた握り玉（５）の回転操作によって、ホース又は電線を巻き取ることを可能としているので、中心軸（３）に流体の配管構造あるいは通電構造を必要とせず、構造が簡単でしかも安全である。
【００４２】  あらかじめ接続継手が取りつけられているホースや、あらかじめプラグとソケットがを取りつけられている電線などが標準として市販されているが、それらをそのまま巻き取って収納したり、引き出して使用可能となっているので便利である。
【００４３】  外枠本体（１）にその流体用接続継手が取り付け可能となっていて、その接続継手の片側は流体供給側のホースとの接続と切り離しが、他方の片側は副巻き取り部（ｂ）に巻き付けられるホースの先端部との接続と切り離しが可能となっているので流路の中継を可能とし且つ、本発明の巻き取り収納器へ流体を供給するときや、ホースの巻き取り収納のときの接続と切り離しが回転巻き取り収納器の側で行えるため便利である。
【００４４】  電線においても外枠本体（１）に取り付けられている配線の分配可能なコンセントとの接続と切り離しを回転巻き取り収納器側で行えるため便利である。
【００４５】  外枠本体（１）は四角形状に形成された外枠（１１，１２）に”コ”の字状に形成された横枠（１３）の両端の直線部がそれぞれ固着されるとともに、外枠（１１，１２）の上辺部に”ｘ”字状に形成された取っ手部（ｘ）が固着されて、外枠本体（１）がより少ない構成部材においてどの方向からの衝撃などに対しても変形がしにくいとともに、外枠構造面での軽量化が図られている。
【図面の簡単な説明】
【００４６】
【図１】  本発明実施例の平面図、正面図と側面図である。
【図２】  本発明実施例の平面図、正面図と側面図である。
【図３】  本発明実施例の        正面図と側面図である。
【図４】  本発明実施例の部分斜視図と部分拡大の断面図である。
【図５】  本発明実施例の部分斜視図と部分拡大の断面図である。
【図６】  本発明実施例の部分斜視図である。
【符号の説明】
【００４７】１  外枠本体          ２  中心軸        ３  巻き取り本体
５  握り玉
１１  外枠            １２  外枠        １３  横枠      １４  取手枠
１５  横板
２１  中心軸カラー    ２２  中心軸カラー
３１  回転板          ３２  回転板      ３３  回転フレーム
３４  回転フレームカラー      ３５  円形フレーム
３６  円形フレーム支え        ３７  副巻き取りフレーム
４１  回転板          ４２  回転板      ４３  回転板
５１  ナット
７１  取付板          ７２  取付板      ７３  取付板
ａ  主巻き取り部        ｂ  副巻き取り部
ｃ  横押さえ部          ｄ  横押さえ部
ｅ  酸素用プラグ継手    ｆ  可燃性ガス用プラグ継手
ｇ  酸素用ソケット継手  ｈ  可燃性ガス用ソケット継手
ｉ  外ネジ              ｊ  内ネジ
ｍ  ソケット継手        ｎ  プラグ継手
ｕ  コンセント
ｕ１    ソケット部    ｕ２    ソケット部    ｕ３    ソケット部
ｖ  プラグ部
ｘ  取手部        ｙ  通し穴
【図１】
2005060098.tif 000003
【図２】
2005060098.tif 000004
【図３】
2005060098.tif 000005
【図４】
2005060098.tif 000006
【図５】
2005060098.tif 000007
【図６】
2005060098.tif 000008